(57)【特許請求の範囲】
【請求項１】
中心軸線（α）まわりに回転可能であり、ネジの切られた親ネジ（２）、
ネジの半径方向の支持を提供するために、親ネジの長手方向に伸びかつ部分的に親ネジを囲んでいる中空で細長い補強用レール（８）、
中心軸線の長手方向に伸びている補強用レールのスロット（１０）、
補強用レールを囲みかつ補強用レールに沿って可動のナット支持体（４０）、
スロットを通って伸びているナット支持体のある一部分（５１）、及び
親ネジが回されたときに、ナット支持体をレールの長手方向の往復運動で動かすために親ネジのネジ（４）と組み合い得るナット支持体の伸びている部分の雌ネジ（６０）を具備する補強親ネジ組立体において、
ナット支持体（４０）が補強用レール（８）の外部と直接組み合うことができ、そしてスロット（１０）はスロットの側面を形成する支持面（１２、１４）を有し、更にスロットを通って伸びるナット支持体（４０）の部分が支持面と組み合う
ことを特徴とする補強親ネジ組立体。
【請求項２】
補強用レールに関するナット支持体（４０）の回転を防ぐために、補強用レール（８）の長手方向に伸びている少なくも１個の平坦部（５４）及びナット支持体上の相手平坦部（５０）を有する請求項１による補強親ネジ組立体。
【請求項３】
補強用レールに関するナット支持体（４０）の回転を防ぐために、補強用レール（８）の長手方向に伸びている複数の平坦部（５４、６５）及びナット支持体の相手平坦部（５０、５２）を有する請求項１による補強親ネジ組立体。
【請求項４】
スロットを通って伸びているナット支持体（４０）の部分（５１）が、親ネジのネジと組み合い得る雌ネジの形成された円形ハブ（５８）を取り付ける請求項１による補強親ネジ組立体。
【請求項５】
補強用レールのスロット（１０）と揃えられたスロット（２６）を有する補強用レール内の細長いスリーブ支承体（２２）がある請求項１による補強親ネジ組立体。
【請求項６】
揃えられたスロットを通って伸びるナット支持体（４０）の部分（５１）が、親ネジのネジと組み合い得る雌ネジの形成された円形ハブ（５８）を取り付ける請求項５による補強親ネジ組立体。
【請求項７】
スリーブ支承体（２２）が親ネジのネジと組み合い得る円弧状の内部を有する請求項５による補強親ネジ組立体。
【請求項８】
スリーブ支承体（２２）が低摩擦プラスチック材料で作られる請求項５による補強親ネジ組立体。
【発明の詳細な説明】
発明の背景
１９８６年１月２６日付け、米国特許４５６６３４５号において、本願発明者は、間隔を空けられた１対の平行な案内レールに沿って往復運動をする工具を取り付けるためのキャリヤーを明らかにした。このキャリヤーは、案内レールの間をこれと平行に長手方向の伸び、かつキャリヤーの雌ネジのナットと組み合っている回転親ネジにより往復させられる。ナットは減摩性ナットとすることができる。親ネジはレールの間に置かれ、キャリヤーから横方向に伸びている支持体があり、その各は、多くは、アウトリガー（ｏｕｔｒｉｇｇｅｒ  ｐｏｎｔｏｏｎ）箱舟の方法で案内レール上を滑る支持具を支持する。
レールは多くの目的に使われる。レールは、キャリヤーが乗るための低摩擦案内路を作るが、より重要には、レールはキャリッジ用の回転止め機構を作る。もし案内レールがなくかつキャリヤーが親ネジの上だけに取り付けられたならば、キャリヤーは恐らくは往復しないであろう。これは、キャリヤーがそのネジ付きナットと親ネジとの間に大きい摩擦抵抗を作り、このため、キャリヤーは移動するのではなくて親ネジとともに回転するであろうためである。第２に、案内レールがなくかつ親ネジが水平方向に向けられたならば、キャリヤー及びこれに取り付けられた工具の重量のために生ずる親ネジの固着が、親ネジを曲げさせ及び／又はこれに取り付けられた工具を、その加工物から離そうとするであろう。
なお別の問題の生ずる可能性がある。キャリヤーに取り付けられた工具は、通常、親ネジの中心軸線からずらされる。更に工具は、キャリヤーに関して片持ちの位置において刃物台に取り付けられる。加工物に関する工具の直角方向のドラグが、刃物台を経てキャリヤーに加えられ、従って支持具を担持するレール上の支持体に加えられるトルクを作る。これは、理論上、不必要なドラグ、モンキーバイティング（monkey-biting）を作り、或いは親ネジの駆動モーターを停止させる結果を生ずることが有り得る。
空間が限定されている用途における別の欠点は機構の大きさである。親ネジの横方向に間隔を空けられた２個の案内レールは、一般に水平方向に広がった駆動機構を作り、ある種の機械作業では、これを行うための十分な空間がない。更に、親ネジと２個の案内レールとの初期整合を得ることが困難である。
欧州特許ＥＰ−Ａ１−０５５９４４１号は、モーター駆動のネジによりトラックに沿って動き得るキャリッジを有するワークセンターを明らかにする。穴がネジを囲む。塑性変形のできるスリーブ部材がネジを囲んでキャリッジとネジとの間の自由度を取り上げ、転造鋼ネジの使用を許す。しかし、この機構は、ネジが回されたときのその急な動き又は振動を防ぐための半径方向の直接的な支持は提供しない。
本発明の目的はこれらの問題の解決である。
発明の概要
本発明は、可逆モーターにより中心軸線まわりに回転可能な親ネジを有する補強親ネジ組立体に関する。親ネジを囲んで強固で中空の長い補強用レールがあり、これはネジの端部から端部に長さ方向に伸びる。ナット支持体が補強用レールに沿って可動であり、かつこれはネジにより駆動される。親ネジの中心軸線の長さ方向に伸びる補強用レール内のスロットがある。ナットの突出部又はトングが補強用レールのスロットを通って半径方向に伸びる。トング又は突出部は、レールに関するナット支持体の回転を防ぐためにスロットの壁面と組み合うことができる。トング又は突出部は、親ネジのネジと組み合い得るネジを取り付ける。従って、親ネジがどちらかの方向に回されると、ナットはネジの長さ方向で移動するであろう。
補強用レールにスリーブ支承体を挿入でき、これは低摩擦のプラスチック材料で作られかつ親ネジのネジと組み合って補強用レール自体と協同して横方向の支持を提供する。
ナットの突出部は、親ネジと組み合い得る部分ネジを有するか、或いは親ネジと組み合うように雌ネジを有する円形ハブを取り付ける。
補強用レールは、長さ方向に伸びている平坦部を少なくも１個有し、これがナットの相手平坦部と組み合って、補強用レールに関するナットの回転を防ぐためのトングとレールのスロットとの回転止め機能に追加される。補強用レールの外面は、ＰＥＦＥ、ナイロン又は同等品のような低摩擦材料で被覆される。ナット支持体も、親ネジとの低摩擦結合のために、アセチルのような自己潤滑材料で作られかつＰＴＦＥ炭素繊維添加物又はその他の潤滑用添加物を加えることができる。これは、剛性及び潤滑性を加えるためにボールブッシュの周りに成型され、又は取り付けることができる。親ネジ内に置かれたスリーブ支承体は、ナイロン、デルリン又は同様なプラスチック材料から作ることができる。
構造及び部品の組合せを含んだ種々の新規な詳細を含む本発明の以上及びその他の特徴が、付属図面を参照して以下更に詳細に説明され、そして請求項において指摘されるであろう。本発明を具体化したこの特定の補強親ネジは、説明のためにのみ示され本発明を限定しないことが理解されるであろう。本発明の原理及び特徴は、本発明の範囲から離れることなく変更された多くの実施例において使用することができる。
【図面の簡単な説明】
図１は、本発明を具体化した補強親ネジの平面図である。
図２は、図１の線II-IIに沿って得られた部分断面図である。
図３は、親ネジ及び補強レールの除去された図１の線III-IIIに沿って得られた補強案内レール及びナット支持体を通る断面図である。
図４は、親ネジ及び補強用レールの除去された図３と同様な図面である。
図５は、平坦部の別の実施例を示している案内レール及びナット支持体の部分の図式的な断面図である。
図６は、スリーブの除去された図２と同様な断面図である。
図７及び８は、別な構造のナット支持体のそれぞれ図３及び４と同様な図面である。
発明の詳細な説明
補強親ネジが図１に平面図で組み立てられて見られる。これは、軸線αまわりに回転可能でありかつ長さに沿って形成されたネジ４を有するネジ２を示す。伸びた突出部６が親ネジの一方の端部に形成され、この親ネジを交互に時計方向及び反時計方向に回転させるために可逆駆動モーター（図示せず）がこれに連結される。
親ネジ２を囲んでネジの長手方向に伸びる細長い補強用のレール８がある。補強用レールは親ネジを受け入れるように中空であり、そして親ネジの中心軸線αの長手方向でかつこれと平行に伸びているスロット１０を備える。このスロットは側壁１２及び１４を有し、この側壁は、以下詳細に説明されるであろうように支持面を構成する。親ネジは、補強用レールに関して回転できるように軸受１６及び１８により補強用レール内に受けられる。
図２を参照すれば、補強用レールの長手方向で伸びている長いスリーブ支承体２２が見られるであろう。この支承体は、ＰＴＦＥ、ナイロン又はデルリンのような低摩擦プラスチックより作られ、円形の内部を有しかつ親ネジ２４と組み合う。これは親ネジ用の半径方向支持体として作用し、ネジが回転されたときのその急な動き又は振動を防ぐ。
スリーブ支承体は、側壁２８（図３）を有するスロット２６を有し、これら側壁は、本質的に、補強用レールのスロット１０の側壁１２と１４の連続部である。スロット１０及び２６は、互いに揃えられる。
作動時には、補強用案内レール８は、親ネジに取り付けられた可逆駆動用モーターを有する適宜の通常の手段（図示せず）により機械構造に固定されるであろう。
一般に４０で示され金属又は好ましくは炭素繊維の添加を有するアセチルのような成型し得るプラスチックとなし得るナット支持体は、補強用レールに沿って両横方向に動くことができる。ナット支持体は、選択的に無バックラッシュ特性を持つ。ナット支持体はフランジ４２を備え、これは円形として図示されるが、取り付けられる工具又は負荷に応じて便利な適宜の形状に構成することができる。ナット支持体はボデー部分４４を有し、これには、図４に見られれるように選択的な内部の平坦部４６が設けられる、この部分は、補強用レールの底部に形成された選択的な相手平坦部４８と組み合わせられる（図３）。
部材４０は、そのこれが両方の機能を有するためナットと呼ばれる。これは、以下見られるであろうように雌ネジが切られ親ネジにより動かされるのでナットと呼ばれる。第２に、これは、内側支持面及びレール上の滑り面を持つ。
図５に見られるであろうように、複数のフレヤー５０及び５２（ここでは２個だけが図示される）がナットに形成されて、レール８の相手平坦部５４及び５６と組み合うことができる。
図４に見られるように、ナット支持体４０は、半径方向内向きに伸びている突出部分又はトング５１を持つ。これは平行な側面５３を有し、これらは、スロット１０の側面１２と１４及び支承体２２に形成されたスロット２８と組み合うことができる。この組合が、平坦部に加えて、親ネジの回転時においてナットが案内レールに関して回転しないことを確実化する。
１個又は複数個ある選択的な平坦部の目的は、親ネジ２が回転したときの補強用レール８に関するナット４０の回転の防止におけるトング５１及びスロット１０、２６の回転止め機能の追加である。これは、親ネジのネジとナットとの間の摩擦結合が、ナットと案内レールの外部との間の摩擦結合より大きい場合に有り得る。
突出部５１の最も内側の端部の円弧部分５６にネジが形成される（図４）。このネジは、親ネジ２のネジ４と組み合い、親ネジが時計方向又は反時計方向に回されると、ナット支持体４０は補強用レール８に関して移行するであろう。
図７及び８に見られるようなナット支持体４０の別の構成が見られるであろう。トルク又は突出部５１に円形のハブ部分５８が形成され、そしてこれは、親ネジ２のネジ２４を囲みかつ組み合う雌ネジ６０を持つ（図６）。図８においては、補強用レール８のスロットの側面２８が突出部５１の側面５３から離されて示される。これは選択的な構造である。ハブ５８の雌ネジ６０は、親ネジのネジと組み合っている。
機能的に、ナットの図７の実施例は、図３の実施例と同じ方法で作動する。
図６は、スリーブ支承体２２を除去した図２と同様な図である。親ネジの高度の撓みが予期された場合は、これは行われず、或いは逆に、親ネジに形成されたネジの山と組み合うことができるように補強用レール８がより小さい直径で構成されるであろう。更に、親ネジが長くなると急な動きに対して親ネジを支持するための補強された支承体に対する要求がより多くなる。
本発明により、ナットのための横方向の案内レールは不要であり、又はキャリッジが取り付けられた場合は、補強用レール８は、一般に非常に大きな工具の要求を除いて十分であるため乗るように取り付けられる。単一レール構造の幅は小さいので、負荷を軸線αの近くに取り付けられるため、ナットの傾斜し又は斜行する機会は少ない。円形の荷重は、補強された親ネジを囲んでいるナット４４に取り付けることもでき、このときは、案内レール８を束にするようにナットに加わるトルクは小さいか又は無いであろう。
【図１】
0004222634.tif 000002
【図２】
0004222634.tif 000003
【図３】
0004222634.tif 000004
【図４】
0004222634.tif 000005
【図５】
0004222634.tif 000006
【図６】
0004222634.tif 000007
【図７】
0004222634.tif 000008
【図８】
0004222634.tif 000009